(57)【要約】【課題】衛生洗浄装置の生産性およびメンテナンス性の向上と、汚染の抑制と清掃性を向上すること。【解決手段】機能部材を内蔵する本体１００と操作部２００と便座３００と便蓋４００とを含み、本体ケース５００は前本体ケース５１０と後本体ケース５５０とを備え、前本体ケース５１０には操作部２００と便座３００と便蓋４００と本体１００に内蔵される全ての機能部材とを設置可能な構成とすることにより、後本体ケースを設置しない状態で、全ての機能部材を前本体ケースに取り付けることが可能となり、その状態で衛生洗浄装置の全機能の検査を実施することができ、しかも、検査で不都合が発見された場合はその状態で補修が可能であるため、組立工程における余分な時間を削減することができるので、生産性とメンテナンス性の高い衛生洗浄装置を提供することができる。【選択図】図２
2015200099.tif 000002
【特許請求の範囲】
【請求項１】
便器上に設置され、機能部材を内蔵する本体と、
前記本体の側部に設けられた操作部と、
前記本体に回動自在に設けられた便座と、
前記本体に回動自在に設けられた便蓋と、を含み、
前記本体は、外装を構成する本体ケースを備え、
前記本体ケースは、前記本体ケースの前面の全体と、両側面と上面と底面の一部を形成する前本体ケースと、前記本体ケースの背面の全体と、両側面と上面と底面の一部を形成する後本体ケースと、を備え、
前記前本体ケースには、前記操作部と、前記便座と、前記便蓋と、前記本体に内蔵される全ての機能部材が設置される構成の、
衛生洗浄装置。
【請求項２】
前記前本体ケースと前記後本体ケースは、接合部に設けた接合溝と接合リブとを嵌合させて接合したことを特徴とする、
請求項１に記載の衛生洗浄装置。
【請求項３】
前記前本体ケースの前面と底面とのコーナ部が曲面で形成されていることを特徴とする、
請求項１または２に記載の衛生洗浄装置。
【請求項４】
前記前本体ケースに前記後本体ケースを設置しない状態で、前記機能部材を稼動させることが可能な、
請求項１〜３のいずれか１項に記載の衛生洗浄装置。
【発明の詳細な説明】
【技術分野】
【０００１】
本発明は、人体局部を洗浄する衛生洗浄装置の本体の外装を中心とする構造に関するものである。
【背景技術】
【０００２】
従来、この種の衛生洗浄装置の本体は、便器の上面後部に固定されたベース部材と、ベース部材全体を覆って設置されるケーシングとを備え、ベース部材には人体局部を洗浄するノズルと温水タンクを主構成部材する局部洗浄機構と、衛生洗浄装置の機能を制御する制御部と、電源部等が設置され、ケーシングには便座と、便蓋と、便座と便蓋の開閉を駆動する開閉駆動装置と、人感センサと、空気清浄装置等の機能部材が設置され、ベース部材に設置された制御部とケーシングに設置された機能部材とは、リード線とコネクタを介して接続される構成となっている（例えば、特許文献１参照）。
【０００３】
図８は、特許文献１に記載された従来の衛生洗浄装置を示すものである。図１０に示すように、便器１の上面後部に固定されたベース部材２とベース部材２を上方から覆うケーシング３を主構成部材として構成されている。
【０００４】
ベース部材２の前部中央にはノズル４と温水タンク５からなる局部洗浄機構６が設置されており、ベース部材２の後部には制御部７が設置されている。ベース部材２の中央側部には制御部７に電気的に接続されたコネクタ受部８が設置されている。
【０００５】
一方、ケーシング３の前部には回動自在な便蓋９と便座（図示せず）が設置されており、ケーシング３の後部前面には人感センサ１０が設置されている。また、ケーシング３の後方側部には作業孔１１が開口しており、作業孔１１は別部材の作業蓋１２で閉塞される構成となっている。
【０００６】
また、ケーシング３の内部には図示しない開閉機構および空気清浄装置等の機能部材が設置されている。機能部材には端部にコネクタ１３を備えたリード線が接続されており、コネクタ１３は作業孔１１の近傍に配置されている。
【０００７】
ベース部材２にケーシング３をかぶせて結合した状態で、作業孔１１を介してコネクタ１３をコネクタ受部８に接続することにより制御部７と機能部材が電気的に接続され、接続部を作業蓋１２で閉塞できる構成となっている。
【０００８】
また、ケーシング３の後部は別部材のカバー１４で覆うことにより作業孔１１および作業蓋１２を隠蔽できる構成となっている。
【先行技術文献】
【特許文献】
【０００９】
【特許文献１】特開２００９−２８７２３０号公報
【発明の概要】
【発明が解決しようとする課題】
【００１０】
しかしながら、前記従来の構成では、衛生洗浄装置の全ての機能部材の動作状態を確認できるのは、ベース部材とケーシングとを結合し、コネクタとコネクタ受部を接合した状態、すなわち衛生洗浄装置の組立作業がほぼ完了した段階で実施することが可能となるものである。この段階で不具合が見つかった場合、補修作業を行うためには、コネクタとコ
ネクタ受部を分離し、ベース部材とケーシングを分離することが必須であり、補修作業に要する手間と時間が多くかかり、生産性の観点から未だ改良の余地があった。
【００１１】
また、従来の上下に分離した本体構成では、本体の下端部に接合部が配置されることになり、隙間が発生する接合部には汚れが付着しやすい部分であり、また、本体の下端部は清掃がし難い部分である。特に、本体の前面下端部は用便による汚れが発生しやすい部分であり、清掃性の面で未だ改良の余地があった。
【００１２】
本発明は、前記従来の課題を解決するもので、組立作業の早い段階で動作状態を確認する検査作業を実施することが可能とするとともに、不具合が発見された場合の補修作業を容易に実施することが可能とすることにより、生産性とメンテナンス性を向上することができる。また、本体下端部の接合部を廃止することにより、汚染の抑制と清掃性を向上することができ、衛生的で使い勝手の良い衛生洗浄装置を安価で提供することを目的とする。
【課題を解決するための手段】
【００１３】
前記従来の課題を解決するために、本発明の衛生洗浄装置は、便器上に設置され、機能部材を内蔵する本体と、本体の側部に設けられた操作部と、本体に回動自在に設けられた便座と、本体に回動自在に設けられた便蓋とを含み、本体は、外装を構成する本体ケースを備え、本体ケースは、本体ケースの前面の全体と、両側面と上面と底面の一部を形成する前本体ケースと、本体ケースの背面の全体と、両側面と上面と底面の一部を形成する後本体ケースと、を備え、前本体ケースには、操作部と、便座と、便蓋と、本体に内蔵される全ての機能部材と、が設置される構成としたものである。
【００１４】
これにより、後本体ケースを設置しない状態で、全ての機能部材を前本体ケースに取り付けることが可能となり、その状態で衛生洗浄装置の確認検査を実施することができ、しかも、検査で不都合が発見された場合はその状態のまま補修が可能であるため、組立工程における余分な時間を削減することができるので、生産性とメンテナンス性の高い衛生洗浄装置を提供することができる。
【００１５】
また、前本体ケースの前面と底面とのコーナ部が曲面で形成することが可能となり用便により汚染される可能性が高い本体ケースの前面下端のコーナ部に汚物が堆積することを抑制することができるとともに、コーナ部の清掃を容易に実施することができ、衛生的で使い勝手の良い衛生洗浄装置を提供することができる。
【発明の効果】
【００１６】
本発明の衛生洗浄装置は、生産性およびメンテナンス性の向上と、汚染の抑制と清掃性を向上することができる。
【図面の簡単な説明】
【００１７】
【図１】本発明の実施の形態１における衛生洗浄装置を便器に設置した状態の斜視図
【図２】同衛生洗浄装置の後本体ケースを取り外した状態の斜視図
【図３】同衛生洗浄装置の洗浄手段の構成を示す模式図
【図４】同衛生洗浄装置のケースの分解状態を示す斜視図
【図５】同衛生洗浄装置の前本体ケースを示す斜視図
【図６】同衛生洗浄装置のケースの組立状態における前後方向の断面図
【図７】図６に示すＡ部の詳細断面図
【図８】従来の衛生洗浄装置の斜視図
【発明を実施するための形態】
【００１８】
第１の発明は、便器上に設置され、機能部材を内蔵する本体と、前記本体の側部に設けられた操作部と、前記本体に回動自在に設けられた便座と、前記本体に回動自在に設けられた便蓋とを含み、前記本体は、外装を構成する本体ケースを備え、前記本体ケースは、前記本体ケースの前面の全体と、両側面と上面と底面の一部を形成する前本体ケースと、前記本体ケースの背面の全体と、両側面と上面と底面の一部を形成する後本体ケースと、を備え、前記前本体ケースには、前記操作部と、前記便座と、前記便蓋と、前記本体に内蔵される全ての機能部材が設置される構成の、衛生洗浄装置である。
【００１９】
これにより、後本体ケースを設置しない状態で、全ての機能部材を前本体ケースに取り付けることが可能となり、その状態で衛生洗浄装置の主要部分の確認検査を実施することができ、しかも、検査で不都合が発見された場合はその状態のまま補修が可能であるため、組立工程における余分な時間を削減することができるので、生産性とメンテナンス性の高い衛生洗浄装置を提供することができる。
【００２０】
第２の発明は、特に、第１の発明において、前記後本体ケースと前記前本体ケースは、接合部に設けた接合溝と接合リブとを嵌合させて接合したことを特徴とするものである。
【００２１】
これにより、接合部を密閉した状態で接合することが可能となり、本体ケースの防水性能を確保することができる。
【００２２】
第３の発明は、特に、第１または第２の発明において、前記前本体ケースの前面と底面とのコーナ部が曲面で形成されていることを特徴とするものである。
【００２３】
これにより、用便により汚染される可能性が高い本体ケースの前面下端のコーナ部に汚物が堆積することを抑制することができるとともに、コーナ部の清掃を容易に実施することができ、衛生的で使い勝手の良い衛生洗浄装置を提供することができる。
【００２４】
第４の発明は、特に、第１〜第３のいずれか１つの発明において、前記前本体ケースに前記後本体ケースを設置しない状態で、前記機能部材を稼動させることが可能としたものである。
【００２５】
これにより、稼動検査を実施することが可能となり、後本体ケースを設置しない状態で、衛生洗浄装置のほぼ全ての検査を実施することが可能となり、しかも、検査で不都合が発見された場合はその状態のまま補修が可能であるため、組立工程における余分な時間を削減することができるので、生産性とメンテナンス性をより向上することができる。
【００２６】
以下、本発明の実施の形態について、図面を参照しながら説明する。なお、この実施の形態によって本発明が限定されるものではない。
【００２７】
（実施の形態１）
＜１＞衛生洗浄装置の構成
図１は本実施の形態における衛生洗浄装置を便器上に設置した状態の外観の斜視図を示し、図２は衛生洗浄装置の本体の後カバーを取り外した状態の斜視図を示し、図３は洗浄手段の構成を示す模式図である。
【００２８】
図１に示すように、衛生洗浄装置は、本体１００と、本体１００の側部に一体に設けられた操作部２００と、本体１００に回動自在に枢支された便座３００と便蓋４００により構成され、便器７００の上面に設置される。
【００２９】
なお、本実施の形態においては衛生洗浄装置の本体１００の設置側を後方、便座３００
の設置側を前方とし、後方より前方に向かって右側を右方、左側を左方として各構成要素の配置を説明する。
【００３０】
本体１００には、便座３００および便蓋４００がダンパ１４０を備えた回動機構を介して開閉可能に取り付けられている。図１および図２に示すように便蓋４００を開放した状態においては、便蓋４００は衛生洗浄装置の最後部に位置するように起立し、便蓋４００を閉蓋した状態では便座３００の上面と本体１００の一部を隠蔽する。便座３００は図１に示すように便器７００の上面に倒置された状態から、図２に示すように本体の上部に起立する。
【００３１】
便座３００の内部には便座３００の着座面を保温する便座ヒータ（図示せず）が設置されている。また、便座３００の回動軸を支持する本体１００内の軸受け部分には便座３００に着座した人体を検知する着座センサ（図示せず）が設置されている。この着座センサは重量式の着座センサであり、便座３００に使用者が着座することによる重量変化でスイッチを開閉させることにより、便座３００上に使用者が着座していることを検知するものである。
【００３２】
図２に示すように、本体１００の内部には衛生洗浄装置の電気的機能および機械的機能を構成する機能部材が設置されている。中央部には洗浄手段１１０の主構成部材であるノズル装置１１７が設置されており、ノズル装置１１７の左側には、脱臭装置１２０が設置されている。本体上部には制御部１３０が、また左側部には便座３００と便蓋４００の回動速度をコントロールするダンパ１４０が設置されている。
【００３３】
ノズル装置１１７の右側には、洗浄手段１１０の主構成部材である温水タンク１１５が設置されている。温水タンク１１５は樹脂材料で整形されたタンク本体の内部には、下部に洗浄水を加熱するシーズヒータ（図示せず）と、シーズヒータの近くには湯温を検知する温度検知手段としてサーミスタ（図示せず）が設置されている。またタンク本体の上面にはタンク内の圧力が負圧になった場合外部から空気を導入するバキュームブレーカが設置されている。
【００３４】
本体１００の右側部には前方に突出するように操作部２００が設けられており、衛生洗浄装置の各機能を操作する複数のスイッチと表示灯２３０が設置されている。操作部２００の内部には操作基板（図示せず）が設置されており、操作基板に複数のタクトスイッチと複数のＬＥＤが設置されており、操作部２００の上面に貼付されたスイッチ銘板を介してタクトスイッチの押圧操作とＬＥＤの視認が可能となっている。
【００３５】
操作部２００に設置されたスイッチは、洗浄動作を操作する複数の操作スイッチ２１０と各種機能を設定する複数の設定スイッチ２２０設置されている。また、表示灯２３０としては操作状態および設定状態を表示する複数のＬＥＤが設置されている。操作スイッチ２１０は操作をしやすくするため操作部２００の前方に配置されており、設定スイッチは後方に配置されている。
【００３６】
操作スイッチ２１０としては、お尻洗浄を開始するお尻洗浄スイッチ２１１、ビデ洗浄を開始するビデ洗浄スイッチ２１２、お尻洗浄とビデ洗浄を停止する停止スイッチ２１３、洗浄水の強さを変更する２個の強度スイッチ２１４が設けられている。
【００３７】
設定スイッチとしては、洗浄水の温度を設定する温水温度スイッチ、便座の温度を設定する便座温度スイッチ、節電を設定する節電スイッチ等が設置されている。
【００３８】
＜２＞洗浄手段の構成
図３は洗浄手段の構成を示す模式図である。
【００３９】
本体１００の内部にはノズル装置１１７に洗浄水を供給する流路が形成されており、図３に示すように、給水栓１１１、定流量弁１１２、止水電磁弁１１３、リリーフ弁１１４、温水タンク１１５、流調弁１１６、ノズル装置１１７が順次設置されている。
【００４０】
本体１００の右側下方に水道管が接続される給水栓１１１が配置されており、給水栓１１１の内部にはストレーナ（図示せず）が組み込まれている。
【００４１】
給水栓１１１と温水タンク１１５との間の流路には、定流量弁１１２、止水電磁弁１１３と、リリーフ弁１１４が順に接続されている。温水タンク１１５とノズル装置１１７のノズル部１１８との間の流路には、流調弁１１６が接続されており、流調弁１１６のそれぞれのポートにはノズル装置１１７のお尻洗浄部１１８ａ、ビデ洗浄部１１８ｂ、ノズル洗浄部１１８ｃが接続されている。
【００４２】
ノズル装置１１７は、樹脂材料で成型した略三角形の枠状の支持部と、支持部に沿って進退移動するノズル部１１８と、ノズル部１１８の進退移動を駆動する駆動部１１９で構成されており、ノズル部１１８はお尻洗浄を行うお尻洗浄部１１８ａとビデ洗浄を行うビデ洗浄部１１８ｂとノズル洗浄を行うノズル洗浄部１１８ｃを備えている。
【００４３】
また、ノズル部１１８の後端にはノズル部１１８への洗浄水の供給を切り替える流調弁１１６が取り付けられている。
【００４４】
次に、本体１００における洗浄水の流れおよび制御部１３０による本体１００の各構成部の制御について説明する。
【００４５】
水道配管を流れる水道水が、洗浄水として給水栓１１１に供給される。次に、定流量弁１１２により流路内を流れる洗浄水の流量が一定に維持される。そして、止水電磁弁１１３により温水タンク１１５への洗浄水の供給状態を切り替えられる。止水電磁弁１１３の動作は、操作部２００の操作に基づき制御部１３０により制御される。
【００４６】
温水タンク１１５は、流路を通して供給される洗浄水を所定の温度に加熱する。温水タンク１１５の動作は、操作部２００の操作とサーミスタの検出データに基づいて制御部１３０により制御される。
【００４７】
続いて、温水タンク１１５で加熱された洗浄水が流調弁１１６に供給される。流調弁１１６はステッピングモータが動作することにより、洗浄水は、お尻洗浄部１１８ａ、ビデ洗浄部１１８ｂ、ノズル洗浄部１１８ｃのいずれかに供給される。これにより、お尻洗浄部１１８ａ、ビデ洗浄部１１８ｂ、ノズル洗浄部１１８ｃのいずれかの噴出口から洗浄水が噴出する。流調弁１１６の駆動は、操作部２００の操作に基づき制御部１３０により制御される。
【００４８】
＜３＞衛生洗浄装置の外装の構成
図４は衛生洗浄装置の外装を構成するケースの分解状態を示す斜視図であり、図５は前本体ケースの詳細を示す斜視図であり、図６はケースの前後方向の断面図であり、図７は図６に示すＡ部の詳細断面図である。
【００４９】
図４に示すように衛生洗浄装置の外装は、本体１００の外装である本体ケース５００を構成する前本体ケース５１０と後本体ケース５５０と、操作部２００の外装である操作部ケース６００を構成する下操作部ケース６１０と上操作部ケース６２０で構成されている
。
【００５０】
本体ケース５００を構成する前本体ケース５１０と後本体ケース５５０はいずれも樹脂材料で成型されたものであり、前本体ケース５１０と後本体ケース５５０は前後方向において全周を接合できる構成となっている。
【００５１】
図５に示すように、前本体ケース５１０は本体ケース５００の前面の全体と、両側面と上面と底面との一部を構成するように形成されている。
【００５２】
前本体ケース５１０は本体１００のメインの躯体となる部材であり、その右側部には操作部ケース６００を設置する操作部設置部５１１、右底部には温水タンク１１５を設置する温水タンク設置部５１２、中央底部にはノズル装置１１７を設置するノズル装置設置部５１３が形成されている。
【００５３】
また、前本体ケース５１０の左底部には脱臭装置１２０を設置する脱臭装置設置部５１４、上部には制御部１３０を設置する制御設置部５１６が形成されている。
【００５４】
また、前本体ケース５１０の左側部には便座３００と便蓋４００の回動速度をコントロールするダンパ１４０を設置するダンパ設置部５１７、左右両側部には便座３００を枢支する便座支持部５１８が、便座支持部５１８の後方には便蓋支持部５１９が形成されている。
【００５５】
前本体ケース５１０の前面と底面のコーナ部５２０の外面は曲面に形成されており、この部分は用便により汚染されやすい部分であり、コーナ部５２０を曲面に形成することにより、汚染物が堆積し難くするとともに清掃しやすい構成となっている。
【００５６】
コーナ部５２０の中央にはノズル装置１１７が進退するノズル開口５２１が形成されている。
【００５７】
上記のように、前本体ケース５１０には上記記載の主構成部材の設置場所を含め、衛生洗浄装置の全ての機能部材を設置できるように形成されている。
【００５８】
後本体ケース５５０は前本体ケース５１０の背面側の開口部の略全面を閉塞するものであり、本体ケース５００の背面の全体と、両側面と上面と底面との一部を構成するように形成されている。
【００５９】
図６に示すように、前本体ケース５１０と後本体ケース５５０との底面の接合部は、後本体ケース５５０の底面５５１が前本体ケース５１０底面５１５の上側に積層された状態で接合されている。
【００６０】
また、図７に示すように、前本体ケース５１０と後本体ケース５５０との上面の接合部は、前本体ケース５１０の上面端部に形成された接合溝５２２に後本体ケース５５０の上面端部に形成された接合リブ５５２が嵌入した状態で接合されており、上面からの浸水を防止する防水機能を備えた構成となっている。
【００６１】
なお、図示しないが、前本体ケース５１０と後本体ケース５５０の両側面の端部にも接合溝５２２と接合リブ５５２が形成されており、上面と同様の状態で接合されている。
【００６２】
また、上記のように本実施の形態においては、前本体ケース５１０に接合溝５２２を形成し、後本体ケース５５０に接合リブ５５２を形成したが、これに限るものではなく、前
本体ケース５１０に接合リブを形成し、後本体ケース５５０に接合溝を形成した構成としてもよい。
【００６３】
＜４＞衛生洗浄装置の組立工程
衛生洗浄装置の組立工程としては、まず、操作部２００の組立であり、上面にスイッチ銘板が貼付された上操作部ケース６２０の下面に操作基板を取り付け、次に上操作部ケース６２０と下操作部ケース６１０を結合することにより、操作部２００の組立工程は完了する。
【００６４】
次に、前本体ケース５１０に衛生洗浄装置の全ての機能部品を設置する工程となるが、まず前本体ケース５１０の操作部設置部５１１に操作部２００取り付け、その後、前本体ケース５１０の底面５１５に直接設置される機能部材から順次取り付けを行う。機能部材の取り付け作業に並行して、各機能部材相互および機能部材と操作部２００および制御部１３０との配線の接続も実施する。前本体ケース５１０の内部に設置される全ての機能部材の取り付けおよび配線を完了した時点で、便座３００の取り付けと、便蓋４００の取り付けを行う。
【００６５】
この状態は、図２に示す状態であり、後本体ケース５５０を除いて衛生洗浄装置の全ての部材が前本体ケース５１０に取り付けられた状態となり、この時点で、衛生洗浄装置の全ての機能を稼働させることが可能な状態となっている。
【００６６】
この段階で、衛生洗浄装置の組立工程における重要な工程である各部材の取り付け状態を目視で確認する確認検査と、各機能の稼動状態を確認する稼働検査を実施する。全ての検査が終了し不都合が発見されない場合は、後本体ケース５５０を取り付けることにより衛生洗浄装置は完成する。
【００６７】
一方、検査により不都合が発見された場合は、補修作業を実施する必要があるが、検査の段階では、後本体ケース５５０を取り付けておらず、背面が大きく開放された状態であるので、そのままでほとんどの補修作業を実施することができ、補修作業終了後、再度検査を実施し、検査終了後、後本体ケース５５０を取り付け、全ての組立工程は終了する。
【００６８】
上記のように、本実施の形態における衛生洗浄装置は、前本体ケース５１０を本体ケース５００の前面の全体と、両側面と上面と底面との一部を構成するように形成したことにより、後本体ケース５５０を設置しない状態において、全ての機能部材を前本体ケース５１０に取り付けることが可能となり、その状態で衛生洗浄装置の機能部材の取り付け状態の確認検査と、全機能の稼動検査を実施することができ、しかも、検査で不都合が発見された場合はその状態のまま補修が可能であるため、組立工程における余分な時間を削減することができるので、生産性とメンテナンス性の高い衛生洗浄装置を提供することができる。
【００６９】
また、本実施の形態における本体ケース５００は、前本体ケース５１０と後本体ケース５５０を前後に分離した構成としたことにより、本体ケース５００の前面と底面とのコーナ部を連続した曲面で一体形成することが可能となり、コーナ部に汚物が堆積することを抑制することとができるとともに、コーナ部の清掃を容易に実施することができ、衛生的で使い勝手の良い衛生洗浄装置を提供することができる。
【００７０】
なお、本実施の形態においては、前本体ケース５１０に接合溝５２２を形成し、後本体ケース５５０に接合リブ５５２を形成したが、これに限るものではなく、前本体ケース５１０に接合リブを形成し、後本体ケース５５０に接合溝を形成した構成としてもよい。
【産業上の利用可能性】
【００７１】
以上のように、本発明にかかる衛生洗浄装置の本体ケースは生産性とメンテナンス性を向上することが可能となるので、他の家電機器等における外装ケース等の用途にも適用できる。
【符号の説明】
【００７２】
１００  本体
２００  操作部
３００  便座
４００  便蓋
５００  本体ケース
５１０  前本体ケース
５２０  コーナ部
５２２  接合溝
５５０  後本体ケース
５５２  接合リブ
７００  便器
【図１】
2015200099.tif 000003
【図２】
2015200099.tif 000004
【図３】
2015200099.tif 000005
【図４】
2015200099.tif 000006
【図５】
2015200099.tif 000007
【図６】
2015200099.tif 000008
【図７】
2015200099.tif 000009
【図８】
2015200099.tif 000010